(57)【要約】      （修正有）【課題】夏期の高温及び冬季の窓ガラス氷結を防止するための自動車のカバーを提供する。【解決手段】２はカバーで、カバー２は、トランク内に設置した収納ボックス８に巻装されている。そして、カバー２は、収納ボックス８により引き出し、トランクドア７の隙間を挿通して、カバー２の端部をワイパー３に止めて取り付ける。カバー２の端部には、ワイパー止め具５が固着されており、ワイパー止め具５をワイパー３に取り付けるものである。このようにして、カバー２は自動車１の屋根及び窓部分を覆うものである。【選択図】図１
0003121599.tif 000002
【実用新案登録請求の範囲】
【請求項１】
自動車屋外駐車用の高温、寒冷防止断熱シートの被覆用具は断熱性の高い不織布等で作製、装着はトランクドアーまたはリアドアーに挟み、先端はフロントワイパーの軸、サイドはドアミラーに掛けるため、被覆用具は確実に固定できる（図１）
【請求項２】
被覆用具収納箱をトランクまたは座席リア部に搭載、装着はトランクドアーまたはリアドアー上部から先端を引き出し、装着後はトランクドアーまたはリアドアーで挟んで閉めて固定し、格納はカバーを両側から折りあげ、収納箱ローラーで巻き上げるので、脱着が簡単にできる（図２）
【考案の詳細な説明】
【考案が解決しようとする課題】
【０００１】自動車屋外駐車時は、夏期においては室内温度が最高で８０度前後となり、室内機器等に悪影響の恐れや、乗車時のクーラーの効率が悪く、冬季においては、フロントガラス等が氷結し、運転に著しく支障を来たしていた
【課題を解決するための手段】
【０００２】自動車屋外駐車時に、トランク等に搭載した被覆用具で乗用室上部及び窓部を覆い、車内を熱射寒冷から遮断保護する
【考案の効果】
【０００３】夏期においても室温が最高でも４０度前後に保たれ、冬季においてもフロントガラス等の氷結が防げた
【図面の簡単な説明】被覆用具の脱着と収納を図解する【図１】装着の略図
【図２】収納の略図
【符号の説明】
１  ・・・被覆用具収納ボックス
２  ・・・被覆用具
３  ・・・ワイパー固定用具
４  ・・・ドアミラー固定用具
５  ・・・トランクドアー上部
【図１】
0003121599.tif 000003
【図２】
0003121599.tif 000004
【手続補正書】
【提出日】平成17年9月6日(2005.9.6)
【手続補正１】
【補正対象書類名】実用新案登録請求の範囲
【補正対象項目名】全文
【補正方法】変更
【補正の内容】
【実用新案登録請求の範囲】
【請求項１】
自動車屋外駐車用の高温、寒冷防止断熱シートの被覆用具は断熱性の高い不織布等で作製、装着はトランクドアーまたはリアドアーに挟み、先端はフロントワイパーの軸、サイドはドアミラーに掛けるため、被覆用具は確実に固定できる（図１）
【請求項２】
被覆用具収納箱をトランクまたは座席リア部に搭載、装着はトランクドアーまたはリアドアー上部から先端を引き出し、装着後はトランクドアーまたはリアドアーで挟んで閉めて固定し、格納はカバーを両側から折りあげ、収納箱ローラーで巻き上げるので、脱着が簡単にできる（図２）
【請求項３】
トランクドアーまたはリアドアー上部に被覆用具を引き出すスペースのない自動車（軽自動車、ワゴン車等）は、収納箱ローラーをフロントウインドウ前に設置、被覆用具を後方へ向けて装着し、先端をリアドアーで挟み、固定する（図３）
脱着、固定方法等は概ね上記１及び２に同じ
【手続補正２】
【補正対象書類名】明細書
【補正対象項目名】全文
【補正方法】変更
【補正の内容】
【考案の詳細な説明】
【考案が解決しようとする課題】
【０００１】自動車屋外駐車時は、夏期においては室内温度が最高で８０度前後となり、室内機器等に悪影響の恐れや、乗車時のクーラーの効率が悪く、冬季においては、フロントガラス等が氷結し、運転に著しく支障を来たしていた
【課題を解決するための手段】
【０００２】自動車屋外駐車時に、トランク等に搭載した被覆用具で乗用室上部及び窓部を覆い、車内を熱射寒冷から遮断保護する
【考案の効果】
【０００３】夏期においても室温が最高でも４０度前後に保たれ、冬季においてもフロントガラス等の氷結が防げた
【図面の簡単な説明】  被覆用具の脱着と収納を図解する【図１】  装着の略図
【図２】  収納の略図
【図３】  装着の略図（軽自動車、ワゴン車等）
【符号の説明】
１  ・・・被覆用具収納ボックス
２  ・・・被覆用具
３  ・・・ワイパー固定用具
４  ・・・ドアミラー固定用具
５  ・・・トランクドアー上部
【手続補正３】
【補正対象書類名】図面
【補正対象項目名】全図
【補正方法】変更
【補正の内容】
【図１】
0003121599.tif 000005
【図２】
0003121599.tif 000006
【図３】
0003121599.tif 000007
【手続補正書】
【提出日】平成17年9月20日(2005.9.20)
【手続補正１】
【補正対象書類名】実用新案登録請求の範囲
【補正の内容】
0003121599.tif 000008
0003121599.tif 000009
0003121599.tif 000010
0003121599.tif 000011
0003121599.tif 000012
【手続補正書】
【提出日】平成18年1月16日(2006.1.16)
【手続補正１】
【補正対象書類名】実用新案登録請求の範囲
【補正対象項目名】全文
【補正方法】変更
【補正の内容】
【実用新案登録請求の範囲】
【請求項１】
自動車の屋根及び窓部分を覆うカバーを収納する収納ボックスをトランク等に搭載し、上記カバー端部に固着した止具を自動車のワイパー軸に掛けて止めるようにした自動車カバー。
【請求項２】
自動車の屋根及び窓部分を覆うカバーを収納する収納ボックスをトランク等に搭載し、上記カバー端部に固着した止具を自動車のドアーミラーに掛けて止めるようにした自動車カバー。
【手続補正２】
【補正対象書類名】明細書
【補正対象項目名】全文
【補正方法】変更
【補正の内容】
【考案の詳細な説明】
【技術分野】
【０００１】
自動車のカバーに関するものである。  
【背景技術】
【０００２】
自動車を屋外に駐車する場合、夏季においては太陽熱により車内が高温に
なり、冬季においては霜のため窓ガラスが氷結することがある。
これに対し、夏季においては窓を少し開けて駐車したり、冬季においては
窓に毛布を掛けたり、あるいは氷結してしまった場合には、湯を掛けて氷
を解かすことにより車を始動している。
本考案は、夏季の高温及び冬季の窓ガラス氷結を防止するための自動車の
カバーを提供することを目的とするものである。
【考案の開示】
【考案が解決しようとする課題】
【０００３】
自動車の屋外駐車で、夏季においては車内温度が最高で８０度前後となり、室内機器等に悪影響の恐れや、乗車時のクーラーの効率が悪く、冬季においては、窓ガラスが氷結するなど、運転等に著しく支障を来たすことを防ぐ。
【課題を解決するための手段】
【０００４】
自動車の屋根及び窓部分を覆うカバーを収納する収納ボックスをトランク等に搭載し、上記カバー端部に固着した止具を自動車のワイパー軸に掛けて止めるようにした自動車カバーである。
【０００５】
自動車の屋根及び窓部分を覆うカバーを収納する収納ボックスをトランク等に搭載し、上記カバー端部に固着した止具をドアーミラーに掛けて止めるようにした自動車カバーである。
【考案の効果】
【０００６】
自動車カバーを収納ボックスから引き出して自動車の屋根及び窓部分を覆うようにしたので、夏季太陽熱による車内の高温が著しく緩和でき、冬季寒冷による窓ガラスの氷結を防ぐことができる。
【考案を実施するための最良の形態】
【０００７】
本考案による自動車カバーを図面により詳細に説明する。
図1は本考案による自動車カバーを示す側面図である。同図において、１は自動車を示す。
本実施例では、セダン型の自動車を示したが、バン型、ハッチバック型、ボックス型等いずれでも対応可能である。
２はカバーで、該カバー2は、トランク内に設置した収納ボックス８に巻装されている。そして、カバー2は、収納ボックス８より引き出し、トランクドアー７の隙間を挿通して、該カバー２の端部をワイパー３に止めて取り付ける。
カバー２の端部には、ワイパー止具５が固着されており、該ワイパー止具５をワイパー３に取り付けるものである。このようにして、カバー２は自動車１の屋根及び窓部分を覆うものである。
また、カバー２の端部にドアーミラー止具６を固着し、該ドアーミラー止具６をドアーミラー４に取り付けるようにしても良い。
【０００８】
次に、図２にカバーを固定するワイパー軸にワイパー止具を取り付けた状態を示す要部拡大断面図で、断面コ字状のワイパー止具５をワイパー軸３に引っ掛けて取り付けるものである。
【０００９】
図３は、カバーを固定するドアーミラーにドアーミラー止具を取り付けた状態を示す要部拡大断面図で、断面コ字状のドアーミラー４に引っ掛けて取り付けるものである。
【００１０】
図４は、トランク内に収納ボックスを設置した状態を示す概要側面図である。
同図のとおり、カバー２は収納ボックス８内のローラーに巻装されており、該カバー２を引き出し、トランクドアー７の隙間を挿通して自動車１を覆うものである。
【図面の簡単な説明】
【００１１】
【図１】本考案による自動車カバーを示す側面図である。
【図２】カバーを固定するワイパー軸にワイパー止具を取り付けた状態を示す要部拡大断面図である。
【図３】カバーを固定するドアーミラーにドアーミラー止具を取り付けた状態を示す要部拡大断面図である。
【図４】収納ボックスを示す側面図である
【符号の説明】
【００１２】
１    自動車
２    カバー
３    ワイパー
４    ドアーミラー
５    ワイパー止具
６    ドアーミラー止具
７    トランクドアー
８    収納ボックス
【手続補正３】
【補正対象書類名】図面
【補正対象項目名】全図
【補正方法】変更
【補正の内容】
【図１】
0003121599.tif 000013
【図２】
0003121599.tif 000014
【図３】
0003121599.tif 000015
【図４】
0003121599.tif 000016